(57)【要約】【課題】本発明は、表示リング固定板を備えた時計のムーブメントに関し、組立操作を簡素化する。【解決手段】ムーブメント（１０）が底板（１６）上に回転可能に取り付けられ、表示領域（２２）に現れるマークを備えた少なくとも１つの表示リング（１２，１４）を備える。リング（１２，１４）には内周歯（２４，２６）が設けられ、駆動装置（２０）と協働するとともに、ジャンパスプリング（３２，３４）と協働する。ジャンパスプリング（３２，３４）は、弾性戻り要素（４０，４２）によって径方向当接位置に向けて押し付けられる。保持板（４８）が底板（１６）に固定され、ジャンパスプリング（３２，３４）を軸方向に保持する。保持板（４８）は、バヨネット式組立によって底板（１６）に固定される。保持板（４８）は、保持板（４８）が非固定角度位置から固定角度位置まで旋回する間に、停止装置（３２，３４）と協働し、弾性戻り要素（４０，４２）を形成する少なくとも１つの押圧部材（５８）を備える。【選択図】図１
2008083054.tif 000002
【特許請求の範囲】
【請求項１】
底板（１６）上に軸（Ａ１）の周りに回転可能に取り付られるとともに、その上面に表示領域（２２）に現れるマークを設けた少なくとも１つの表示リング（１２，１４）を備え、前記リング（１２、１４）に内周歯（２４，２６）が形成されており、前記内周歯（２４，２６）は、前記リング（１２，１４）上に設けたマークが前記表示領域（２２）内に現れるように駆動装置（２０）と協働するとともに、ジャンパスプリング効果により停止装置（３２，３４）と協働し、その停止装置は、底板（１６）に取り付けられ、内周歯（２４，２６）に対して径方向に当接することによって、前記リング(１２、１４)を所定の角度位置で停止させることが可能であり、停止装置（３２，３４）は弾性戻り要素（４０，４２）によって径方向当接位置に向かって押し付けられるものであり、保持板（４８）が、前記停止装置（３２，３４）を軸方向に保持するように前記底板（１６）に固定されている時計用のムーブメント（１０）であって、前記保持板（４８）が、前記底板（１６）上に前記保持板（４８）が置かれている間に、最初、第１の非固定角度位置で、次ぎに、第２の固定角度位置と、バヨネット式組立によって固定され、かつ、前記保持板（４８）が、前記非固定角度位置から前記固定角度位置までその保持板（４８）が旋回することにより関連させられる前記弾性戻り要素（４０，４２）を押しつけ、前記停止装置（３２，３４）と協働する少なくとも１つの押圧部材（５８）を備えることを特徴とする時計用のムーブメント（１０）。
【請求項２】
前記保持板（４８）の底面（６０）から下方向に突出するとともに、前記底板（１６）に配置された相補形の切り欠き（５４）と協働して前記保持板（４８）を前記底板（１６）上に前記軸方向に保持する固定トング（５０）を前記保持板（４８）が備えることを特徴とする前記請求項に記載のムーブメント（１０）。
【請求項３】
前記押圧部材（５８）は、前記保持板（４８）の前記底面（６０）の下に突出する突起部（５８）によって形成されていることを特徴とする前記請求項のいずれかに記載のムーブメント（１０）。
【請求項４】
前記停止装置（３２，３４）は、前記内周歯（２４，２６）と協働する支持脚部（４４，４６）と前記弾性戻り要素を形成する弾性アーム（４０，４２）を備え、前記停止装置（３２，３４）は、一体部品として形成されていることを特徴とする前記請求項のいずれかに記載のムーブメント（１０）。
【請求項５】
前記軸方向に重なり合って日付リングを形成する上側リング（１２）と下側リング（１４）を備え、前記各リング（１２，１４）は、それぞれに関連させられる前記停止装置（３２，３４）を備え、前記上側リング（１２）は、前記下側リング（１４）に設けられた前記マークを見せるための少なくとも一つの開放された、もしくは透明な孔（３０）を備え、前記駆動装置（２０）が、前記上側リング（１２）が動かない状態で、前記下側リング（１４）に設けられた前記マークが前記孔（３０）を介して順次前記表示領域（２２）に現れるように、また、前記下側リング（１４）が動かない状態で、前記上側リング（１２）が前記下側リング（１４）の前記マークを覆って、前記上側リング（１２）に設けられた前記マークが順次前記表示領域（２２）に現れるように前記リング（１２，１４）の前記内周歯（２４，２６）と協働し、前記停止装置（３２，３４）は、互いに前記軸方向に重なっており、同じ軸（Ａ２）を中心として旋回可能に取り付けられ、前記押圧部材（５８）は、前記２つの停止装置（３２，３４）の前記弾性アーム（４０，４２）と協働して、同時に前記２つの停止装置（３２，３４）を押しつけることを特徴とする前記請求項に記載のムーブメント（１０）。
【請求項６】
前記停止装置（３２，３４）の前記旋回軸（Ａ２）は、前記底板（１６）と一体に形成されたスタッド（３６）によって形成されることを特徴とする前記請求項に記載のムーブメント（１０）。
【請求項７】
前記保持板（４８）は、孔（６８）に取り付けることにより前記底板（１６）上の角度指標スタッド（７０）と協働する角度指標トング（５２）を備え、前記指標スタッド（７０）が、前記バヨネット組立の端部の前記孔（６８）に受容され、前記保持板（４８）が、その前記軸（Ａ１）周りを旋回しないように固定するように構成されていることを特徴とする前記請求項のいずれかに記載のムーブメント（１０）。
【請求項８】
前記角度指標トング（５２）は、径方向の面内で延びており、径方向自由端部（７２）と、屈曲部（７６）によって前記保持板（４８）と連結された径方向反対側端部（７４）とを有し、前記孔（６８）は、２つの対向する当接縁部（７８，８０）によって周縁部が区切られており、前記２つの当接縁部（７８，８０）の距離は、前記角度指標スタッド（７０）の直径に等しいことを特徴とする前記請求項に記載のムーブメント（１０）。
【発明の詳細な説明】
【技術分野】
【０００１】
本発明は、表示リング固定板を備えた時計のムーブメントに関する。
本発明は、さらに、板の底部に軸を中心として回転可能に取り付けられるとともに、その上面に表示領域に現れるように配設されたマークを付した少なくとも１個の表示リングを有する時計のムーブメントに関し、リングには、内周歯が設けられており、内周歯は、リングに設けられたマークが表示領域に現れるように駆動装置と協働するとともに、底板に取り付けられ、内周歯に対して径方向に当接することによって所定の角度位置にリングを停止させることができるジャンパスプリング効果停止装置と協働し、停止装置は、弾性戻り要素によって径方向の当接位置に押し付けられ、保持板が、底板に固定されて停止装置を軸方向に保持しているものである。
【背景技術】
【０００２】
この種のムーブメントの組立操作は、特に、保持板を底板に固定するときに問題を引き起こす可能性がある。実際は、ジャンパスプリングとその弾性戻り要素は、それらを覆う保持板を介して、底板上の位置に負荷がかかった状態もしくは押しつけられた状態で保持される。結果として、ジャンパスプリングとその弾性戻り要素を一度取り付けても、弾性戻り要素は、保持板が完全に定位置に収まる前に衝撃または振動によって外れやすく、このことが組立操作を複雑にしていた。
【０００３】
この問題を解決するため、特許文献１は、ジャンパスプリングと弾性戻り要素を、表示リングより前に、すなわち静止状態で底板に取り付け、切り欠きを、保持板の一端に配置して、表示リングを、保持板が固定されてから底板上に取り付けられるようにしている。
【０００４】
【特許文献１】米国特許第３，８９３，２８９号
【発明の開示】
【発明が解決しようとする課題】
【０００５】
本発明は、上記の技術的問題を解決し、米国特許第３，８９３，２８９で提案された解決策と比較して、組立操作が簡素化された、代替の解決策を提供することを目的とする。
【課題を解決するための手段】
【０００６】
本発明は、保持板を、底板上でまず、第１の非固定角度位置とし、次に第２の固定角度位置としながら保持板をバヨネット式組立によって底板に固定することを特徴とし、かつ保持板がその非固定角度位置からその固定角度位置まで旋回して関連させられる弾性戻り要素を弾性的に押しつけるように固定装置と協働する少なくとも１つの押圧部材を保持板が備えることを特徴とする前記ムーブメントを提供する。
【０００７】
これらの特徴により、本発明のムーブメントは、特に、組立が簡単である。保持板用の固定ねじを使用する必要がないため、組立操作が簡単になり、ムーブメントを構成する部品数が最小限ですむ。保持板を旋回させるという１つの操作により、保持板が底板に固定されるとともに、ジャンパスプリングに関連させられる弾性戻り要素に弾性的に押付け負荷をかけることができる。
【０００８】
好ましくは、保持板は、保持板の底面から下方向に突出するとともに、底板に配置された相補形の切り欠きと協働して、保持板を底板上に軸方向に保持する固定トングを備える。押圧部材が、保持板の底面の下に突出する突起部によって形成されている。特にこの種の保持板は、特に金属板を切削、打抜き、曲げなどにより、あるいは、成形部品の形態で製造が容易である。
【０００９】
有利な実施態様によると、ジャンパスプリング効果停止装置は、内周歯と協働する支持脚部と、弾性戻り要素を形成する弾性アームとを備え、停止装置は一体部品として形成されている。これにより、組立が容易になるとともに、押圧部材の停止装置に対する配置が容易となる。
【００１０】
ある実施態様によると、軸方向に重なり合って日付リングを形成する上側リングと下側リングを備える。各リングは、それぞれに関連させられる上記停止装置を備える。上側リングは、下側リングに設けられたマークを見せるための少なくとも一つの開放された、もしくは透明な孔を備える。駆動装置は、上側リングが動かない状態で、下側リングに設けられたマークが孔を介して順次表示領域に現れるように、また、下側リングが動かない状態で、上側リングが下側リングのマークを覆って、上側リングに設けられたマークが順次表示領域に現れるようにリングの内周歯と協働する。停止装置は、互いに軸方向に重なっており、同じ軸／アーバの周囲を旋回可能に取り付けられているのが有利である。さらに、押圧部材は、２つの停止装置の弾性アームと協働して、同時に２つの停止装置を押しつける。また、停止装置の旋回軸／アーバは、底板と一体に形成されたスタッドによって形成される。これらの特徴により、構造が簡素化されるため、ムーブメントの組立操作が容易になる。よって、ムーブメントの作動信頼性も改善される。
【００１１】
保持板は、孔にはめ込まれることにより底板上の角度指標スタッドと協働する角度指標トングを備え、指標スタッドが、バヨネット組立体の端部の孔に受容され、保持板が、そのアーバの周りを旋回せずに固定されるように構成されているので有利である。角度指標トングは、径方向の面内で延びている。また、径方向自由端部と、屈曲部によって保持板と連結された径方向反対側端部を有する。孔は、２つの対向する当接縁部によって周辺が区切られており、２つの当接縁部の距離は、角度指標スタッドの直径に略等しい。本発明により、製造と組立操作を複雑化することなしに、保持板の角度位置の正確性が向上するとともに、保持板を底板により確実に固定することができる。
【発明を実施するための最良の形態】
【００１２】
本発明のその他の特徴および利点は、発明を限定することなく、例示の目的で添付した図面を参照しながら以下に示す詳細な説明によってさらに明確となろう。
【００１３】
以下の説明において、同様または同一の要素は、同じ参照番号にて表すものとする。
【００１４】
図１、２は、本発明の教えにより作成した腕時計などの時計のムーブメント１０を概略的にかつ部分的に示す図である。
【００１５】
以下の説明において、ムーブメント１０の軸に沿った垂直軸線方向Ａ１を使用し、ムーブメントは、ここでは円盤状の形態をとるものとする。
【００１６】
ここに示す実施の形態によると、ムーブメント１０は、日付表示を備えたカレンダー時計に取り付けられる。この日付表示は、上側日付リング１２と下側日付リング１４が軸方向に重なり合い、底板１６上に軸Ａ１を中心として回転可能に取り付けられて構成されている。底板１６は、ここでは、回転するリング１２、１４を案内する凸型円筒壁部２０を形成する中心プラットフォーム１８を備える。
【００１７】
それぞれのリング１２、１４には、その上面に時計の文字板（図示せず）の表示領域２２に現れるマークが設けられている。それぞれのリング１２、１４には、内周歯２４、２６が設けられており、これらの内周歯２４、２６は、それぞれのリング１２、１４に設けられたマークが表示領域２２に入るように、底板１６に配置された案内手段２８と協働する。
【００１８】
上側リング１２には、下側リング１４に設けたマークが表示領域２２に現れるように開放された、あるいは透明な孔３０が設けられている。駆動装置２８は、上側リング１２が動かない状態で、下側リング１４に設けられたマークが、孔３０を介して順次表示領域２２に現れるように、また、下側リング１４が動かない状態で、上側リング１２が下側リング１４のマークを覆って、上側リング１２に設けられたマークが順次表示領域２２に現れるようにリング１２、１４の内周歯２４、２６と協働する駆動ホイール２９を備える。
【００１９】
また、各リング１２、１４の内周歯２４、２６も、それぞれのリング１２、１４を所定の角度位置で、その内周歯２４、２６に対して径方向で当接することによって停止させることができるジャンパスプリング３２、３４と称されるジャンパスプリング効果停止装置３２、３４と協働する。ムーブメント１０は、ここでは、２つのジャンパスプリング３２、３４を有する。双方のジャンパスプリングが底板１６に配された垂直軸Ａ２の同じスタッド３６に、その周りで旋回可能に取り付けられるとともに、軸方向に互いに重なっている。スタッド３６はここでは、底板１６と一体化されて形成されている。
【００２０】
各ジャンパスプリング３２、３４は、ジャンパスプリング３２、３４の本体４４、４６と一体に形成された弾性アームによって形成される弾性戻り要素４０，４２によって、その径方向の当接位置へ向けて押し付けられる。各ジャンパスプリング３２、３４の本体４４、４６は、それぞれ、それに関連させられるリング１２，１４の内周歯２４、２６の形状と相補形をなす支持脚を形成している。
【００２１】
ここに示してはいないが、変形例として、弾性戻り要素４０，４２は、それに関連させられるジャンパスプリング３２、３４の本体４４、４６とは別のスプリングで形成してもよいのは勿論である。
【００２２】
２つのリングを重ねたこの種の日付表示システムについては、本明細書でも引用している米国特許第６，９５２，０３２号に詳細に説明されているので参照されたい。
【００２３】
特に、リング１２、１４とジャンパスプリング３２、３４を軸方向に底板１６に保持するため、保持板４８が底板１６に固定される。ここで、保持板４８は、さらに駆動ホイール２９を底板１６のアーバ上に軸方向に保持する。
【００２４】
本発明の有利な特徴によると、バヨネット式組立が、保持板４８を底板１６に固定する。よって、保持板４８は、固定部材５０を備え、これらが底板１６上に配置した相補形要素５４と協働する。底板１６への保持板４８の組立は、底板１６の上面１８に向かって軸方向Ａ１にまず移動させ、次に、保持板４８を底板１６に対して軸Ａ１の周りを旋回させることによって行う。旋回させている間、保持板４８は、まず、図３に示す第１の非固定角度位置をとり、次に図２と図４に示す第２の固定角度位置となる。ここでは、固定部材５０が、相補部材５４と協働した状態となる。
【００２５】
本発明の別の有利な特徴によると、保持板４８は、保持板４８が非固定角度位置から固定角度位置まで旋回する間に、ジャンパスプリング３２、３４と協働する押圧部材５８を備える。好ましくは、押圧部材５８は、保持板４８の底面６０から下方向に延びる突起部５８によって形成する。
【００２６】
板形状の突起部５８は、保持板４８の全体面に対して全体的に直交して延びている。突起部５８は、ムーブメント１０の中心に対して外側に向いた制御面６２を有しており、その制御面６２は、保持板４８がその固定角度位置にあるときには、ジャンパスプリング３２、３４の弾性アーム４０，４２に対して略平行に延びる。より詳しくは、突起部５８とその制御面６２は、保持板４８が非固定角度位置にある状態で、各弾性アーム４０、４２の当接端６４、６６が制御面６２からある距離離れた位置にある一方、保持板４８が固定角度位置にある状態では、各弾性アーム４０，４２の当接端６４，６６が制御面６２に当接し、ジャンパスプリング３２、３４を内周歯２４、２６に対して径方向に当接させて押し付けるように配置されている。
【００２７】
本実施形態の利点は、両ジャンパスプリング３２、３４を同時に押しつけるのに１つの突起部５８で済むという点である。もちろん、本発明の変形例（図示せず）として、ジャンパスプリング３２、３４を異なる２つのスタッド３６に旋回可能に取り付け、保持板４８に２つの突起部５８を設け、それぞれをジャンパスプリング３２、３４と対応させ、これらの突起部５８をジャンパスプリング３２、３４の弾性アーム４０，４２と同時に、または時差をつけて協働させて押しつけるようにすることもできる。
【００２８】
好ましくは、固定部材５０はここでは、保持板４８の底面６０の下側に突出して延びるとともに、保持板４８を底板１６に軸方向に保持するために、底板１６のプラットフォーム１８に配置された切り欠き５４によって形成された相補部材５４に受容されるように設けられた３つのＬ字型固定トング５０によって形成する。このため、各切り欠き５４は、それに関連させられる固定トング５０を軸方向に挿入するための穴、または入り口６５と、保持板４８が固定角度位置にある状態で、固定トング５０のＬ字型の自由端が、その下側に位置する縁部６７を有する。
【００２９】
また、有利な構成として、固定角度位置において保持板４８がその軸Ａ１の周囲を旋回しないように固定するため、保持板４８が、孔６８を設けた角度指標トング５２を備え、かつプラットフォーム１８上に配置された角度指標スタッド７０とスナップ嵌めによって協働する。すなわち、バヨネット組立の終わりに角度指標スタッド７０が孔６８に受容される。
【００３０】
指標トング５２は、ここでは、保持板４８の全体面と同一に径方向に面上を延びる。指標トング５２は、径方向自由端部７２と、屈曲部７６によって保持板４８と連結された径方向反対側端部７４を有する。孔６８は、２つの対向する当接縁部７８，８０によって周辺が区切られており、すなわち、当接縁部となる直線部分があり、２つの当接縁部７８、８０の距離は、角度指標スタッド７０の直径と略等しい。
【００３１】
好ましくは、保持板４８は、金属板を切削し、打抜き、折り曲げることによって形成され、保持板４８と一体の固定トング５０、指標トング５２、突起部５８を単純で経済的な方法で作成することができる。もちろん、変形例として、保持板４８を金属成形によって形成することも、プラスチック材で形成することも可能である。
【００３２】
本発明のムーブメント１０の組立操作について説明する。２つのリング１２、１４を底板１６上に置き、円筒形壁部２０によって軸方向に案内し、ジャンパスプリング３２、３４をそれに関連させられるスタッド上３６に嵌合させる。この組立段階で、ジャンパスプリング３２、３４の弾性アーム４０，４２は、静止状態、すなわち圧縮されない状態にあり、よって、ジャンパスプリング３２、３４は、リング１２、１４の内周歯２４、２６に径方向に当接するように押されていない。リング１２、１４を底板１６に取り付けるのは、ジャンパスプリング３２、３４の前でも後でもよいことは理解できよう。
【００３３】
次に、底板１６のプラットフォーム１８上に保持板４８を、固定トング５０が切り欠き５４の孔６５の中に軸（Ａ１）方向に挿入されるように載せる。保持板４８はこの時非固定角度位置になる。この段階で弾性アーム４０，４２は、まだ休止状態であり、図３に示すように、指標トング５２は、指標スタッド７０に対して角度方向にずれている。
【００３４】
続いて保持板４８を、底板１６に対し、軸Ａ１を中心として図の時計回りに数度、図２、４に示す固定角度位置になるまで旋回させる。この固定角度位置で、弾性アーム４０，４２が、押しつけられているとともに、押付け突起部５８に当接し、固定トング５０は、それに関連させられる切り欠き５４の縁部６７の下に置かれる。これにより、保持板４８は、底板１６上に軸方向に保持され、指標スタッド７０は、指標トング５２の孔６８に受容され、これにより、保持板４８が、角度方向に移動不可となる。
【００３５】
保持板４８の旋回中、突起部５８は、弾性アーム４０，４２の当接端６４、６６に次第に当接し、これにより、ジャンパスプリング３２、３４が、それに関連させられる内周歯２４、２６に対して弾性的に押しつけられる。
【００３６】
保持板４８は、容易に解体できることは理解できよう。指標トング５２は、わずかに上方向に曲げて、指標スタッド７０から外すだけでよく、さらに保持板４８は、非固定角度位置まで反対方向に旋回させればよい。
【図面の簡単な説明】
【００３７】
【図１】図１は、本発明の教えによって製造された日付表示付きの時計のムーブメントの概略を示す拡大斜視図である。
【図２】図２は、図１のムーブメントにおいて、保持板をムーブメントに関連させられる底板に固定した状態を示す斜視図である。
【図３】図３は、保持板が、非固定角度位置にある状態を示す上面図である。
【図４】図４は、図３に類似する図であり、保持板が、固体角度位置にある状態を示す図である。
【符号の説明】
【００３８】
１０  ムーブメント、１２  上側リング、１４  下側リング、１６  底板、２０  駆動装置、２２  表示領域、２４、２６  内周歯、３０  孔、３２、３４  停止装置（ジャンパスプリング）、３６  スタッド、４０、４２  弾性戻り要素（弾性アーム）、４４、４６  支持脚部、４８  保持板、５０  固定トング（固定部材）、５２  角度指標トング、５４  切り欠き、５８  押圧部材（突起部）、６０  底面、７０  角度指標スタッド、７２  径方向自由端部、７４  径方向反対側端部、７６  屈曲部、７８、８０  当接縁部
【図１】
2008083054.tif 000003
【図２】
2008083054.tif 000004
【図３】
2008083054.tif 000005
【図４】
2008083054.tif 000006